(57)【特許請求の範囲】
【請求項１】
プラントに関連する要素をツリービュー表示により階層化して表現するプラント情報の表示方法において、
異なる視点に基づく複数の前記ツリービュー表示を並べて表示するツリービュー表示ステップと、
前記ツリービュー表示ステップにより表示された複数の前記ツリービュー表示のそれぞれに含まれる前記要素間の関連をグラフィック表示により示す関連表示ステップと、
を備え、
前記要素間の関連は、制御における情報の入出力の関連を示すことを特徴とするプラント情報の表示方法。
【請求項２】
プラントに関連する要素をツリービュー表示により階層化して表現するプラント情報の表示方法において、
異なる視点に基づく複数の前記ツリービュー表示を並べて表示するツリービュー表示ステップと、
前記ツリービュー表示ステップにより表示された複数の前記ツリービュー表示のそれぞれに含まれる前記要素間の関連をグラフィック表示により示す関連表示ステップと、
を備え、
前記関連表示ステップでは、前記ツリービュー表示に現れていない要素に替えて、前記ツリービュー表示に現れているその親の要素に対して前記関連を示す表示を行うことを特徴とするプラント情報の表示方法。
【請求項３】
前記要素間の関連は、制御における情報の入出力の関連を示すことを特徴とする請求項２に記載のプラント情報の表示方法。
【請求項４】
前記関連表示ステップでは、前記ツリービュー表示に含まれる要素を線で結ぶ表示により、前記要素間の関連を表示することを特徴とする請求項１〜３のいずれか１項に記載のプラント情報の表示方法。
【請求項５】
プラントに関連する要素をツリービュー表示により階層化して表現するプラント情報の表示装置において、
異なる視点に基づく複数の前記ツリービュー表示を並べて表示するツリービュー表示手段と、
前記ツリービュー表示手段により表示された複数の前記ツリービュー表示のそれぞれに含まれる前記要素間の関連をグラフィック表示により示す関連表示手段と、
を備え、
前記要素間の関連は、制御における情報の入出力の関連を示すことを特徴とするプラント情報の表示装置。
【請求項６】
プラントに関連する要素をツリービュー表示により階層化して表現するプラント情報の表示装置において、
異なる視点に基づく複数の前記ツリービュー表示を並べて表示するツリービュー表示手段と、
前記ツリービュー表示手段により表示された複数の前記ツリービュー表示のそれぞれに含まれる前記要素間の関連をグラフィック表示により示す関連表示手段と、
を備え、
前記関連表示手段は、前記ツリービュー表示に現れていない要素に替えて、前記ツリービュー表示に現れているその親の要素に対して前記関連を示す表示を行うことを特徴とするプラント情報の表示装置。
【発明の詳細な説明】
【技術分野】
【０００１】
本発明は、プラントに関連する要素をツリービュー表示により階層化して表現するプラント情報の表示方法等に関し、とくにプラントに関連する要素に関する情報について多面的な表現を可能とした表示方法等に関する。
【背景技術】
【０００２】
プラント制御において、正しく制御、解析を行うため計測対象とすべき計測点（以下、「アイテム」という。）は大量に存在する。この大量に存在するアイテムに対し、ユーザが個別にアクセスする可能とすることを目的として、システム内でユニークなアイテムアクセス用の識別子であるアイテムＩＤが各アイテムに割り振られる。ユーザはプラント内のデータにアクセスする際、アイテムＩＤを指定してデータのアクセス（読み書き）を実行する。ただし、ユーザがすべてのアイテムＩＤを記憶することは現実的に困難であるため、ユーザはアイテムＩＤを指定する前に、対象となるアイテムのアイテムＩＤを探索する作業が必要になる。
【０００３】
アイテムＩＤをユーザが記憶していないアイテムが大量に存在する場合に、アイテムＩＤを探索する目的で一般的に用いられている仕組みが、コンピュータのユーザインタフェースで表現されるツリービューである。ツリービューによれば大量に存在するアイテムＩＤをグループ分けして表示することが可能となる。ユーザはツリービューで提示されたグループのリストから目的としてアイテムが所属するグループを選択することで、そのグループに所属するアイテムのリストを一覧表示させることができる。
【０００４】
また、ツリービューではアイテムのグループ分けを１段階で終了とせず、複数段階でのグループ分けも可能である。この場合、ユーザはツリービューで提示されたグループ分けの中から自分が目的とするアイテムが所属するグループの選択を繰り返すことで、目的とするアイテムＩＤを探索することができる。
【０００５】
図７は、ISA S95のプラント階層構造に習ったツリービューを示している。ここでは図示の簡略化のため、「Enterprise」、「Site」、「Area」を省略し、「Process Cell」をトップレベルノードとしている。
【０００６】
図７において、上から順次、「Process Cell 01」は、このツリー構造での最上位層となるノードであり、「Unit 01」は、「Process Cell 01」の下のアイテムをさらにグループ分けするノードであり、「Tank 01」は、「Unit 01」に紐付く１つ目のタンクを示すノードであり、「温度」は、「Tank 01」の状態（温度）を表す、アイテムＩＤに紐付くノードであり、「レベル」は、「Tank 01」の状態（レベル）を表す、アイテムＩＤに紐付くノードであり、「Pump 01」は、「Tank 01」に紐付くポンプを表すノードであり、「流速」は、「Pump 01」の状態（流速）を表す、アイテムＩＤに紐付くノードであり、「設定値」は、「Pump 01」の状態（設定値）を表す、アイテムＩＤに紐付くノードであり、「Valve 01」は、「Tank 01」に紐付くバルブを表すノードであり、「開度」は、「Valve 01」の状態（開度）を表す、アイテムＩＤに紐付くノードであり、「設定値」は、「Valve 01」の状態（設定値）を表す、アイテムＩＤに紐付くノードであり、「Tank 02」は、「Unit 01」に紐付く２つ目のタンクを示すノードであり、「Unit 02」は、「Process Cell 01」の下のアイテムをさらにグループ分けするノードである。
【０００７】
なお、「Tank 02」の下の階層および「Unit 02」の下の階層の図示は省略する。
【０００８】
次に、ユーザが「Valve 01」の開度を計測する場合の操作について説明する。前提とするユーザの条件は以下の通りである。（１）ユーザは「Valve 01」の開度にアクセスするためのアイテムＩＤを記憶していない。（２）ユーザは「Tank 01」がプラント内のどのUnitに紐付けられているかを理解しており、「Tank 01」が紐付けられたUnitをUnit一覧の中から選択できる。（３）ユーザは「Valve 01」がプラント内のどのタンクに紐付けられているかを理解しており、「Valve 01」が紐付けられたタンクを「Unitに紐付けられたタンク一覧」の中から選択できる。（４）ユーザはValve1が保持するデータの構造を理解しており、「Valve 01」に紐付けられたアイテムＩＤ一覧の中から目的としてアイテムＩＤを表す「開度」のノードを選択できる。
【０００９】
次に、ユーザの操作手順および動作を説明する。
（１）まず、ユーザはプラント階層を表現しているツリービューを表示する。これにより、「Process Cell 01」がTopノードとして表示される。「Process Cell 01」のノードは閉じた状態であり、「Process Cell 01」の子供（「Unit 01」、「Unit 02」）は表示されていない。
（２）ユーザは「Process Cell 01」のノードを選択して展開する。これにより、「Process Cell 01」のノードが開き、子供の「Unit 01」および「Unit 02」が表示される。「Unit 01」のノードは閉じた状態であり、「Unit 01」の子供（「Tank 01」、「Tank 02」）は表示されていない。「Unit 02」のノードは閉じた状態であり、「Unit 02」の子供（不図示）は表示されていない。
（３）ユーザは、目的とするポンプが紐付けられているはずの「Unit 01」のノードを選択して展開する。これにより、「Unit 01」のノードが開き、子供の「Tank 01」および「Tank 02」が表示される。「Tank 01」のノードは閉じた状態であり、「Tank 01」の子供（「Pump 01」、「Valve 01」）は表示されていない。「Tank 02」のノードは閉じた状態であり、「Tank 02」の子供（不図示）は表示されていない。
（４）ユーザは、目的とするポンプが紐付けられているはずの「Tank 01」のノードを選択して展開する。これにより、「Tank 01」のノードが開き、子供の「Pump 01」および「Valve 01」が表示される。「Pump 01」のノードは閉じた状態であり、「Pump 01」の子供（「流速」、「設定値」）は表示されていない。「Valve 01」のノードは閉じた状態であり、「Valve 01」の子供（「開度」、「設定値」）は表示されていない。
（５）ユーザは、目的とする機器である「Valve 01」のノードを選択し展開する。これにより、「Valve 01」のノードが開き、子供の「開度」および「設定値」が表示される。
（６）ユーザは、目的とするアイテムである「開度」ノードを発見する。
【先行技術文献】
【特許文献】
【００１０】
【特許文献１】特開２００５−３４６４４４号公報
【発明の概要】
【発明が解決しようとする課題】
【００１１】
従来のツリービューでは、すべてのアイテムを１つのツリービュー上に配置している。このツリービューの親ノードと子ノードの関係は、特定の情報に基づいて紐付けられている。このような情報としては、
（１）設備／機器としての物理的な接続に基づく情報、
（２）生産活動で同時に運転する場合の機器を子供として、生産活動（親）の付属物として紐付ける情報、
などがある。このようなツリービューを規定する仕様において、すべてのアイテムが整然とツリー構造のみで表現可能である場合（例えば、プラント階層）には混乱が生じない。しかし、プラント階層中に、制御の視点で見る場合に重要なループ計器を登場させようとする場合などのように、ツリーではなくアイテム間の関係にループが生じてしまう場合は、それらの関係を正しく表現できない。
【００１２】
本発明の目的は、ツリー構造のみで表現できない情報を表現可能なプラント情報の表示方法等を提供することにある。
【課題を解決するための手段】
【００１３】
本発明のプラント情報の表示方法は、プラントに関連する要素をツリービュー表示により階層化して表現するプラント情報の表示方法において、異なる視点に基づく複数の前記ツリービュー表示を並べて表示するツリービュー表示ステップと、前記ツリービュー表示ステップにより表示された複数の前記ツリービュー表示のそれぞれに含まれる前記要素間の関連をグラフィック表示により示す関連表示ステップと、を備え、前記要素間の関連は、制御における情報の入出力の関連を示すことを特徴とする。
このプラント情報の表示方法によれば、異なる視点に基づく複数のツリービュー表示のそれぞれに含まれる要素間の関連をグラフィック表示により示すので、ツリー構造のみで表現できない情報を表現可能なプラント情報を表現できる。
【００１４】
本発明のプラント情報の表示方法は、プラントに関連する要素をツリービュー表示により階層化して表現するプラント情報の表示方法において、異なる視点に基づく複数の前記ツリービュー表示を並べて表示するツリービュー表示ステップと、前記ツリービュー表示ステップにより表示された複数の前記ツリービュー表示のそれぞれに含まれる前記要素間の関連をグラフィック表示により示す関連表示ステップと、を備え、前記関連表示ステップでは、前記ツリービュー表示に現れていない要素に替えて、前記ツリービュー表示に現れているその親の要素に対して前記関連を示す表示を行うことを特徴とする。
このプラント情報の表示方法によれば、異なる視点に基づく複数のツリービュー表示のそれぞれに含まれる要素間の関連をグラフィック表示により示すので、ツリー構造のみで表現できない情報を表現可能なプラント情報を表現できる。
【００１５】
前記要素間の関連は、制御における情報の入出力の関連を示してもよい。
【００１６】
前記関連表示ステップでは、前記ツリービュー表示に含まれる要素を線で結ぶ表示により、前記要素間の関連を表示してもよい。
【００１７】
本発明のプラント情報の表示方法は、プラントに関連する要素をツリービュー表示により階層化して表現するプラント情報の表示装置において、異なる視点に基づく複数の前記ツリービュー表示を並べて表示するツリービュー表示手段と、前記ツリービュー表示手段により表示された複数の前記ツリービュー表示のそれぞれに含まれる前記要素間の関連をグラフィック表示により示す関連表示手段と、を備え、前記要素間の関連は、制御における情報の入出力の関連を示すことを特徴とする。
本発明のプラント情報の表示方法によれば、異なる視点に基づく複数のツリービュー表示のそれぞれに含まれる要素間の関連をグラフィック表示により示すので、ツリー構造のみで表現できない情報を表現可能なプラント情報を表現できる。
【００１８】
本発明のプラント情報の表示装置は、プラントに関連する要素をツリービュー表示により階層化して表現するプラント情報の表示装置において、異なる視点に基づく複数の前記ツリービュー表示を並べて表示するツリービュー表示手段と、前記ツリービュー表示手段により表示された複数の前記ツリービュー表示のそれぞれに含まれる前記要素間の関連をグラフィック表示により示す関連表示手段と、を備え、前記関連表示手段は、前記ツリービュー表示に現れていない要素に替えて、前記ツリービュー表示に現れているその親の要素に対して前記関連を示す表示を行うことを特徴とする。
本発明のプラント情報の表示方法によれば、異なる視点に基づく複数のツリービュー表示のそれぞれに含まれる要素間の関連をグラフィック表示により示すので、ツリー構造のみで表現できない情報を表現可能なプラント情報を表現できる。
【発明の効果】
【００１９】
本発明のプラント情報の表示方法によれば、異なる視点に基づく複数のツリービュー表示のそれぞれに含まれる要素間の関連をグラフィック表示により示すので、ツリー構造のみで表現できない情報を表現可能なプラント情報を表現できる。
【００２０】
また、本発明のプラント情報の表示装置によれば、異なる視点に基づく複数のツリービュー表示のそれぞれに含まれる要素間の関連をグラフィック表示により示すので、ツリー構造のみで表現できない情報を表現可能なプラント情報を表現できる。
【図面の簡単な説明】
【００２１】
【図１】一実施形態のプラント情報の表示方法が適用されるフィールド制御システムの構成例を示すブロック図。
【図２】監視画面におけるツリービューの表示例を示す図。
【図３】制御上のループ構造を形成する実際のプラントの構成を示すブロック図。
【図４】表示制御部および情報処理部の動作を示すフローチャート。
【図５】対応するノードがツリービューに表示されていない場合におけるノード間の関連を示すラインの描画例を示す図。
【図６】プラントにおいてループ構造を取る例を示す図。
【図７】従来のツリービューの表示例を示す図。
【発明を実施するための形態】
【００２２】
以下、本発明によるプラント情報の表示方法の一実施形態について説明する。
【００２３】
図１は、本実施形態のプラント情報の表示方法が適用されるフィールド制御システムの構成例を示すブロック図である。
【００２４】
図１に示すように、フィールド制御システムは、プラントに分散配置されるフィールドコントローラ１，１，・・・と、フィールドコントローラ１，１，・・・を介してプラントに設置されたフィールド機器群（不図示）を操作、監視するための操作監視装置２と、を備える。フィールドコントローラ１，１，・・・および操作監視装置２は、通信回線３を介して互いに接続される。
【００２５】
図１に示すように、操作監視装置２には、プラント情報が表示される監視画面２１と、監視画面２１の表示を制御する表示制御部２２と、プラント情報の表示に必要な情報の取得、その他の情報処理を実行する情報処理部２３と、プラント情報の表示に必要な関連情報、その他の情報を格納する格納部２４と、を備える。
【００２６】
図２は、監視画面２１におけるツリービューの表示例を示す図である。
【００２７】
図２に示すツリービュー５０は、ISA S95のプラント階層構造に従うものである。ここでは図示の簡略化のため、「Enterprise」、「Site」、「Area」を省略し、「Process Cell」をトップレベルノードとしている。また、図２に示すツリービュー６０は、ユーザが指定したノード（後述）に関連するループ計器をまとめて表示するためのループ用のツリービューである。
【００２８】
このように、監視画面２１には、視点の異なる２つのツリービューが表示される。このうちツリービュー６０は、関連するループ構造を表示する目的でユーザが「Tank 01」を指定した場合に表示される。
【００２９】
図２に示すツリービュー５０において、上から順次、「Process Cell 01」は、このツリー構造での最上位層となるノードであり、「Unit 01」は、「Process Cell 01」の下のアイテムをさらにグループ分けするノードであり、「Tank 01」は、上記のようにユーザが指定したノードであって、「Unit 01」に紐付く１つ目のタンクを示すノードであり、「温度」は、「Tank 01」の状態（温度）を表すアイテムのノードであり、「レベル」は、「Tank 01」の状態（レベル）を表すアイテムのノードであり、「Pump 01」は、「Tank 01」に紐付くポンプを表すノードであり、「流速」は、「Pump 01」の状態（流速）を表すアイテムのノードであり、「設定値」は、「Pump 01」の状態（設定値）を表すアイテムのノードであり、「Valve 01」は、「Tank 01」に紐付くバルブを表すノードであり、「開度」は、「Valve 01」の状態（開度）を表すアイテムのノードであり、「設定値」は、「Valve 01」の状態（設定値）を表すアイテムのノードであり、「Tank 02」は、「Unit 01」に紐付く２つ目のタンクを示すノードであり、「Unit 02」は、「Process Cell 01」の下のアイテムをさらにグループ分けするノードである。
【００３０】
なお、「Tank 02」の下の階層および「Unit 02」の下の階層の図示は省略する。
【００３１】
図２に示すループ用のツリービュー６０は、ツリービュー５０においてユーザが指定したノード「Tank 01」に関連するループ計器等を表現する。
【００３２】
図２に示すツリービュー６０において、上から順次、「関連ループ計器一覧」は、ユーザが指定したノード「Tank 01」に関連するループ計器をまとめて表示するための上位フォルダであり、「ループ計器 01」は、制御上のループを形成するツリービュー６０内のノードであり、「Input」は、「ループ計器 01」へのInput（入力）を表すアイテムのノードであり、「Output」は、「ループ計器 01」からのOutput（出力）を表すアイテムのノードである。
【００３３】
また、図２に示すライン７１は、「Tank 01」の温度と「ループ計器 01」への「Input」とが互いに関連することを示すために、ツリービュー５０およびツリービュー６０の間を横断して描画されており、ライン７１の矢印により「Tank 01」の温度が「ループ計器 01」の「Input」に与えられるという制御の方向を示している。
【００３４】
また、図２に示すライン７２は、「ループ計器 01」の「Output」と「Valve 01」の「設定値」とが互いに関連することを示すために、ツリービュー５０およびツリービュー６０の間を横断して描画されており、ライン７２の矢印により「ループ計器 01」の「Output」が「Valve 01」の設定値に与えられるという制御の方向を示している。
【００３５】
図３は、制御上のループ構造を形成する「ループ計器 01」周辺の実際のプラントの構成を示すブロック図である。
【００３６】
図３に示すように、「Tank 01」として表示されるタンクＴｋ１の内容物の温度は、温度センサＴｈで計測され、その計測値が「Input」として「ループ計器 01」として表示されるループ計器Ｒ１に与えられる。また、ループ計器Ｒ１の出力値が「Output」として「Valve 01」として表示されるバルブＶ１に与えられ、バルブＶ１の開度が制御される。バルブＶ１の開度に応じた流量でスチームがタンクＴｋ１に供給されることで、タンクＴｋ１の内容物の温度が制御される。
【００３７】
図２に示すツリービュー５０およびツリービュー６０の間を横断するライン７１およびライン７２は、このような制御ループを表現したものである。
【００３８】
図４は、図２に示す表示画面を監視画面２１に表示する際の表示制御部２２および情報処理部２３の動作を示すフローチャートである。
【００３９】
図４のステップＳ１では、格納部２４に格納された情報に基づき、ツリービュー５０を描画する。
【００４０】
ステップＳ２では、関連するループ構造を表示する目的でユーザが何らかのノード（例えば、「Tank 01」）を指定するのを待って、ステップＳ３へ進む。
【００４１】
ステップＳ３では、ステップＳ２において指定されたノードについて格納部２４に関連情報があるか否か判断し、判断が肯定されればステップＳ４へ進み、判断が否定されればステップＳ２へ戻る。関連情報は、各ノードについて、関連するループ構造を表示するために必要な情報である。
【００４２】
ステップＳ４では、格納部２４の関連情報に基づき、ステップＳ２において指定されたノードに関連するノードからツリービュー６０の描画に必要な情報を取得し、ツリービュー６０を描画する。「Tank 01」が指定された場合について以下に例示する。
【００４３】
（１）ユーザが指定したノード「Tank 01」に紐付くアイテムのノードである「Tank 01」の「温度」、および「Tank 01」の「レベル」を取得する。
（２）ユーザが指定したノード「Tank 01」に紐付くノードである「Pump 01」および「Valve 01」を取得する。
（３）ユーザが指定したノード「Tank 01」に紐付くノード（「Pump 01」、「Valve 01」）に紐付くアイテムのノードである「Pump 01」の「流速」、「Pump 01」の「設定値」、「Valve 01」の「開度」、および「Valve 01」の「設定値」を取得する。
（４）次に、上記（１）〜（３）における取得先のアイテムに対し関連するループ計器をすべて抽出する。これにより、「ループ計器 01」が抽出される。
（５）次に、「ループ計器 01」および「ループ計器 01」の下に付属する全アイテムが表示されるツリービュー６０（図２）を描画する。これにより、「ループ計器 01」および「ループ計器 01」に紐付けられた「Input」および「Output」がツリービュー６０内に表示される。
【００４４】
次に、ステップＳ５では、ライン７１およびライン７２（図２）を描画して処理を終了する。
【００４５】
ステップＳ５では、まず、格納部２４の関連情報に基づき、ライン７１（図２）を描画する。ここでは、「ループ計器 01」の「Input」と「Tank 01」の「温度」の間に、ライン７１をツリービュー５０およびツリービュー６０の間を横断する形で描画する。その際、情報の伝達先が「ループ計器 01」の「Input」であることから、ライン７１の終端を「ループ計器 01」の「Input」の側とし、ここに矢印の先端部を描画する。
【００４６】
次に、格納部２４の関連情報に基づき、ライン７２（図２）を描画する。ここでは、「ループ計器 01」の「Output」と「Valve 01」の「設定値」の間に、ライン７２をツリービュー５０およびツリービュー６０の間を横断する形で描画する。その際、情報の伝達先が「Valve 01」の「設定値」であることから、ライン７２の終端を「Valve 01」の「設定値」の側とし、ここに矢印の先端部を描画する。
【００４７】
以上の処理により、図２に示すツリービュー５０、ツリービュー６０、ライン７１およびライン７２が監視画面２１（図１）に描画される。
【００４８】
以上のように、上記実施形態では、ツリービュー５０およびツリービュー６０に表示されるノード間に、互いの関連を示すライン７１およびライン７２を描画することにより、ノード間に関連のあることを表現できる。また、ライン７１およびライン７２の方向性を示すことにより、情報の伝達方向を認識することが可能となる。例えば、図２の例では、「Tank 01」の「温度」が「ループ計器 01」の「Input」に渡され、「ループ計器 01」の「Output」が「Valve 01」の「設定値」に渡されることがわかる。
【００４９】
また、ツリービュー５０、ツリービュー６０、ライン７１およびライン７２を全体的に俯瞰することにより、以下の３つの事象が制御上のループを形成していることが視覚的に把握できる。
【００５０】
（１）「Tank 01」の下層に「Valve 01」が紐付く。
（２）「Tank 01」の「温度」が「ループ計器 01」の「Input」となる。
（３）「ループ計器 01」の「Output」が「Valve 01」の「設定値」となる。
【００５１】
図５は、ノード間の関連を示すラインを描画するに際して、対応するノードがツリービューに表示されていない場合の例について示している。
【００５２】
例えば、ユーザがツリービュー５０上の「Tank 01」を指定したループ用のツリービューの描画を要求した際、「Tank 01」に紐付くノードである「Pump 01」および「Valve 01」がノードとして閉じている（子ノードを表示していない）ことがある。
【００５３】
そのような場合には、閉じているノードに紐付くアイテムのノードに対して関連を示すラインを描画することができないため、以下のような描画を行う。
【００５４】
図５に示すように、「ループ計器 01」の「Output」から「Valve 01」に向けて関連を示すライン７２Ａを描画する。その際、ライン７２Ａの表示形態をライン７２（図２）と異なるものとすることにより、対応するノードが表示されていないことを示す。例えば、ライン７２Ａでは、ラインの描画形態および矢印の形態をライン７２と異なるものとしている。
【００５５】
このように、本来ラインを接続する対象とすべきアイテムのノードが表示されていない場合に、親のノードに対してラインを接続することにより、関連するノードがどのノードに紐付くアイテムのノードであるのかを把握できる。
【００５６】
また、ラインの表示形態を変えることにより、上位のノードが折りたたまれているために本来ラインを接続する対象とすべきアイテムのノードが表示されておらず、代わりに親のノードへラインを接続していることが把握できる。
【００５７】
以上の実施形態では、設備／機器とループ計器の関係を示す場合を例示しているが、プラント内の情報には設備／機器とループ計器の組み合わせ以外にもループ構造をとりうる例が存在する。
【００５８】
図６は、プラントにおいてループ構造を取る例を示す図である。
【００５９】
図６において、タンク等の設備８１、ループ計器８２およびバルブ等の機器８３により形成される制御ループは上記実施形態で示した通りである。これに対し、異なる形態のループ構造として、例えば以下のものが考えられる。
【００６０】
（１）上記実施形態における設備／機器とループ計器との立場を逆転させた関係であり、まず、ループ計器を主体としてツリービュー表示を行い、このツリービュー表示上の要素を指定することで設備／機器のツリービューを表示するとともに、２つのツリービューを横断する要素間の関連を示すもの、
（２）設備／機器と作業の関係（使用機器）、
（３）作業と設備の関係（使用設備）、
（４）設備／機器と人の関係、
（５）人と設備／機器の関係、
（６）作業とループ計器の関係、
（７）ループ計器と作業の関係、
（８）作業と人の関係、
（９）人と作業の関係、
などについても、本発明を適用することができる。
【００６１】
以上説明したように、本発明のプラント情報の表示方法等によれば、異なる視点に基づく複数のツリービュー表示のそれぞれに含まれる要素間の関連をグラフィック表示により示すので、ツリー構造のみで表現できない情報を表現可能なプラント情報を表現できる。
【００６２】
本発明の適用範囲は上記実施形態に限定されることはない。本発明は、プラントに関連する要素をツリービュー表示により階層化して表現するプラント情報の表示方法等に対し、広く適用することができる。
【符号の説明】
【００６３】
２２    表示制御部（ツリービュー表示手段、関連表示手段）
２３    情報処理部（ツリービュー表示手段、関連表示手段）
【図１】
0005505873.tif 000002
【図２】
0005505873.tif 000003
【図３】
0005505873.tif 000004
【図４】
0005505873.tif 000005
【図５】
0005505873.tif 000006
【図６】
0005505873.tif 000007
【図７】
0005505873.tif 000008